(57)【要約】【課題】  少ない数の操作ボタンであって、ベット数やライン数を変更する場合にはソフトプログラムにより設定を容易に変更できるビデオスロットマシンの操作液晶ボタンを提供すること。【解決手段】  ビデオスロットマシンにおける機器表面に露出する操作部が遊戯者により操作されてスロットマシンに信号を与えてマシン制御部を作動停止する操作液晶ボタンにおいて、前記操作ボタンに所望のゲーム操作に必要な文字或いは図柄を表示できる液晶表示装置を備えている。ビデオスロットマシンの操作液晶ボタンにおいて液晶表示装置を操作ボタンの外周に設けることもできること、そしてまた、液晶表示装置に表示する所望のゲーム操作に必要な文字或いは図柄及びベット数やライン数はソフトプログラムにより設定を変更されることができることを特徴とする。【選択図】    図１
2008054696.tif 000002
【特許請求の範囲】
【請求項１】
ビデオスロットマシンにおける機器表面に露出する操作部が遊戯者により操作されてスロットマシンに信号を与えてマシン制御部を作動停止する操作液晶ボタンにおいて、前記操作ボタンに所望のゲーム操作に必要な文字或いは図柄を表示できる液晶表示装置を備えてることを特徴とするビデオスロットマシンの操作液晶ボタン。
【請求項２】
前記液晶表示装置が前記操作ボタンの外周に設けられていることを特徴とする請求項１に記載のビデオスロットマシンの操作液晶ボタン。
【請求項３】
前記液晶表示装置に表示する所望のゲーム操作に必要な文字或いは図柄はソフトプログラムにより設定を変更されることを特徴とする請求項１或いは請求項２に記載のビデオスロットマシンの操作液晶ボタン。
【請求項４】
前記液晶表示装置に表示するベット数やライン数はソフトプログラムにより設定を変更されることを特徴とする請求項１或いは請求項２に記載のビデオスロットマシンの操作液晶ボタン。
【請求項５】
ビデオスロットマシンにおける機器表面に露出する操作部が遊戯者により操作されてスロットマシンに信号を与えてマシン制御部を作動停止する操作液晶ボタンにおいて、前記操作ボタンに液晶表示装置を備えて、前記操作ボタンの押圧により電源から電流が液晶電極に供給し、液晶電極に電圧を印加して操作液晶ボタンの表面表示部に所望のゲーム操作に必要な文字或いは図柄を表示できることを特徴とするビデオスロットマシンの操作液晶ボタン。
【発明の詳細な説明】
【技術分野】
【０００１】
この発明は、ビデオスロットマシンにおける機器表面に露出する操作部を遊戯者が操作してスロットマシンに信号を与えてマシンリール部を作動停止する操作液晶ボタンに関する。
【背景技術】
【０００２】
従来から、カジノやゲームセンター等に設置される遊戯機としてリール式スロットマシンやビデオ式スロットマシンが知られている。ビデオ式スロットマシンは例えば陰極管や液晶等から成るモニター表示装置を備え、そのモニター表示装置に複数の種々の図柄を垂直方向に周期的に移動させる複数のリール部を表示し、これら複数のリール部の停止時に所定の図柄が有効な入賞ライン上に揃ったときに入賞として入賞ライン当たりのベット数に応じた配当を払い出すものである。
【０００３】
このビデオ式スロットマシンにおける操作部の操作ボタンでは、そのボタンに表示する文字や図柄を予め印刷されたフィルムを背後から電灯等の光源で照射して表示されるもの（特許文献１）であったり、操作部が蛍光色素を含む透明樹脂からなり彫り込みによって表示情報を描いた情報彫込部材とこの情報彫込部材を覆う透明樹脂から成るカバーとを備えて、この情報彫込部材をスイッチ内部に設けた光源により照射する操作ボタンスイッチ（特許文献２）であったり、操作部が複数色の透光性樹脂から形成されて、光源の光が照射される操作部の裏面が特定色の樹脂部分をシボ処理された操作ボタン（特許文献３）であるから、ベット数やライン数を変更する場合には、操作ボタンを分解してフィルムや情報彫込部材等の交換を行う必要があった。
【０００４】
また、従来、図５においてビデオスロットマシンにおける遊戯操作及び入賞内容を表示する従来の操作ボタンパネルを開示するように、操作ボタンの数が比較的に多いパネルであり、更に、ビデオスロットマシンにおけるゲーム内容を複雑に多彩な入賞を構成させるためには、操作ボタンの数を増やさなければゲーム内容に対応できなかったが、しかしビデオスロットマシンにおける機器表面における操作ボタンの設置面積にも制限があり、操作ボタンの数を増やすのは困難であった。
【特許文献１】特開２０００−３２５５３３号公報
【特許文献２】特開平  ９−２０６４２３号公報
【特許文献３】特開平１０−１１３４４２０公報
【発明の開示】
【発明が解決しようとする課題】
【０００５】
この発明の課題は、従来のビデオスロットマシンの機器表面に操作ボタンを設置する場合の欠点を克服し、そして少ない数の操作ボタンであって、ベット数やライン数を変更する場合にはソフトプログラムにより設定を容易に変更できるビデオスロットマシンの操作液晶ボタンを提供することである。
【課題を解決するための手段】
【０００６】
この発明の課題は、ビデオスロットマシンにおける機器表面に露出する操作部が遊戯者により操作されてスロットマシンに信号を与えてマシン制御部を作動停止する操作液晶ボタンにおいて、前記操作ボタンに所望のゲーム操作に必要な文字或いは図柄を表示できる液晶表示装置を備えていることによって、解決される。
【０００７】
さらに、この発明は、ビデオスロットマシンにおいて液晶表示装置を操作ボタンの外周に設けることもできること、そしてまた、液晶表示装置に表示する所望のゲーム操作に必要な文字或いは図柄及びベット数やライン数はソフトプログラムにより設定を変更されることができることを特徴とする。
【０００８】
この発明は、ビデオスロットマシンにおける機器表面に露出する操作部が遊戯者により操作されてスロットマシンに信号を与えてマシン制御部を作動停止する操作液晶ボタンにおいて、前記操作ボタンに液晶表示装置を備えて、前記操作ボタンの押圧により電源から電流が液晶電極に供給し、液晶電極に電圧を印加して操作液晶ボタンの表面表示部に所望のゲーム操作に必要な文字或いは図柄を表示できることを特徴とする。  
【発明の効果】
【０００９】
この発明のビデオスロットマシンの操作液晶ボタンによると、操作ボタンの液晶表示装置により複数の操作機能を表示できるので、機器表面に設置する操作ボタン数を減らすことできる。従って、機器のスペースを有効に活用できる。また、設置範囲は遊戯者が操作を容易にできるものとなる。
【００１０】
この発明の操作液晶ボタンによると、液晶表示装置に表示するベット数やライン数はソフトプログラムにより設定を容易に変更されることができるので、従来のようにフィルム交換などのメンテナンス作業が不要となる。
【００１１】
この発明のビデオスロットマシンの操作液晶ボタンによると、本体設定の画面時にも、設定をするボタンを明確にすることができる。また、操作ボタンの外周に液晶表示装置を設けても良いので、ボタン表面を有効に活用できる。
【発明を実施するための最良の形態】
【００１２】
次に、この発明は、実施の形態について図面を参照して説明する。図１はこの発明の第一実施形態例に係る液晶ボタンを含む操作ボタンパネルの平面図を示し、図２はこの発明の第一実施形態例に係る液晶ボタンにおける通常ゲームの流れを表す図を示し、図３はこの発明の第二実施形態例に係る液晶ボタンを含む操作ボタンパネルの平面図を示し、図４はこの発明の液晶ボタンを含む操作ボタンパネルを有するビデオスロットマシンの正面図を示し、図５は従来の操作ボタンパネルの平面図を示す。
【実施例１】
【００１３】
図１はこの発明の第一実施形態例に係る液晶ボタンを含む操作ボタンパネルの平面図を示し、この操作ボタンパネル１は、その中央部分に液晶表示装置を備える液晶ボタンのベット１０のベットアップボタン２とベットダウンボタン３、１５ラインのラインアップボタン４とラインダウンボタン５を備え、その左側にペイアウトボタン６とチェンジボタン７を備え、右側にマックスベットボタン８とスピンリベットボタン９を備える例である。これら液晶ボタン２、３、４と５の液晶表示内容、即ち文字及び図柄はソフトプログラムにて設定を変更できる。
【００１４】
図２はこの発明の第一実施形態例に係る液晶ボタンにおける通常ゲームの流れを表す図を示し、図１に開示される液晶ボタンは、ベット１０のベットアップボタン２とベットダウンボタン３、１５ラインのラインアップボタン４とラインダウンボタン５として（表示状態ａ）表示される液晶表示装置を備えるので、遊戯において所定の図柄が有効な入賞ライン上に揃ったときに当たりとして、１５ラインのラインアップボタン４とベットダウンボタン５の表示はQUAD UP とDOBLE UPに変更され、そしてベット１０のベットアップボタン２の表示がTAKE WINに変更される（表示状態ｂ）。
【００１５】
次に、DOBLE UPを表示するボタン５を押下げると、液晶表示はボタン５の表示をRED に、そしてボタン４の表示をBLACK に変更する（表示状態ｃ）。さらに、液晶ボタンの表示状態ｃにおいて当たりとなると、パネル１の液晶ボタンは表示状態ｂになり、TAKE WINを表示するボタン２を押下げると、パネル１の液晶ボタンは表示状態ａに戻る。また、液晶ボタンの表示状態ｃにおいてはずれになると、液晶ボタンは表示状態ａに戻る。
【００１６】
液晶ボタンの表示状態ｂにおいてQUAD UP を表示するボタン４を押下げると、ボタン２にダイヤ図柄を、ボタン３にハート図柄を、ボタン４にミツバ図柄を、ボタン５にスペード図柄を表示する表示状態ｄとなる。さらに、液晶ボタンの表示状態ｄにおいて当たりとなると、パネル１の液晶ボタンは表示状態ｂになり、TAKE WINを表示するボタン２を押下げると、パネル１の液晶ボタンは表示状態ａに戻る。また、液晶ボタンの表示状態ｄにおいてはずれになると、液晶ボタンは表示状態ａに戻る。
【実施例２】
【００１７】
図３はこの発明の第二実施形態例に係る液晶ボタンを含む操作ボタンパネルの平面図を示し、この操作ボタンパネル１０は、第一実施形態と同様に、その左側にペイアウトボタン６とチェンジボタン７を備え、右側にマックスベットボタン８とスピンリベットボタン９を備え、そしてその中央部分に液晶表示装置１１を備えていて、その表示装置の下にはボタンに特定内容をもたせない操作ボタンを設けている。この液晶表示装置１１は例えば１５ラインのラインアップとラインダウンやベット１０のベットアップとベットダウンを表示している例を示すけれども、この液晶表示の内容はビデオスロットマシン側においてカジノやゲームセンター等の管理者がソフトプログラムを設定して容易に設定変更することができる。この液晶表示装置１１は第一実施形態例の液晶ボタン２，３，４，５の表示状態と同じ作動状態ａ，ｂ，ｃ，ｄを表示し，操作ボタン２’，３’，４’，５’により遊戯操作する。    
【００１８】
図４はこの発明の液晶ボタンを含む操作ボタンパネルを有するビデオスロットマシンの正面図を示し、スロットマシンの上部ボックス１２にはその正面に上部パネル１３を備え、頭部にタワーランプ２４を備える。上部ボックス１２の下のボックスには上扉１５の上に左右の上スピーカー１４を備え、上扉１５の中部パネル１６にはタッチモニター１７が設けられている。この中部パネル１６の左右両側には、サイド電飾１８が設けられいる。
【００１９】
下部ボックスの中部パネル１６の下には、拡張パネル１９、操作ボタン２０、コイン投入口２８、紙幣投入口２９を備えている。下部ボックスの下部に設けた下扉３０はカウンター２１、左右の下スピーカー２２とコイン受け皿２３を備えている。スロットマシンの側壁には設定キー２５、上扉開閉レバー２６や上扉開閉キー２７が設けられ、また下方には下扉開閉レバー３１と下扉開閉キー３２が設けられている。
【００２０】
図５は、ビデオスロットマシンにおける遊戯操作及び入賞内容を表示する従来の操作ボタンパネルを開示する平面図を示する。それら遊戯操作及び入賞内容を表示する操作ボタンはその数だけを必要とするからパネルを比較的大きなものとなる。また、ベット数やライン数を変更する場合には操作ボタンを分解してフィルムや情報彫込部材の交換を行う必要があった。さらに、従来は、フィルム交換などのメンテナンス作業が必要であった。  
【図面の簡単な説明】
【００２１】
【図１】この発明の第一実施形態例に係る液晶ボタンを含む操作ボタンパネルの平面図を示す。
【図２】この発明の第一実施形態例に係る液晶ボタンにおける通常ゲームの流れを表す図を示す。
【図３】この発明の第二実施形態例に係る液晶ボタンを含む操作ボタンパネルの平面図を示す。
【図４】この発明の液晶ボタンを含む操作ボタンパネルを有するビデオスロットマシンの正面図を示す。
【図５】従来の操作ボタンパネルの平面図を示す。
【符号の説明】
【００２２】
１，１０．．．操作ボタンパネル
２，３，４，５．．．液晶ボタン
６．．．．．ペイアウトボタン
７．．．．．チェンジボタン
８．．．．．マックスベットボタン
９．．．．．スピンリベットボタン
１１．．．．．液晶表示装置
１２．．．．．上部ボックス
１３．．．．．上部パネル
１４．．．．．左右の上スピーカー
１５．．．．．上扉
１６．．．．．中部パネル
１７．．．．．タッチモニター
１８．．．．．サイド電飾
１９．．．．．拡張パネル
２０．．．．．操作ボタン
２１．．．．．カウンター
２２．．．．．左右の下スピーカー
２３．．．．．コイン受け皿
２４．．．．．タワーランプ
２５．．．．．設定キー
２６．．．．．上扉開閉レバー
２７．．．．．上扉開閉キー
２８．．．．．コイン投入口
２９．．．．．紙幣投入口
３０．．．．．下扉
３１．．．．．下扉開閉レバー
３２．．．．．下扉開閉キー
ａ，ｂ，ｃ，ｄ．．．液晶ボタンの表示状態
【図１】
2008054696.tif 000003
【図２】
2008054696.tif 000004
【図３】
2008054696.tif 000005
【図４】
2008054696.tif 000006
【図５】
2008054696.tif 000007